(57)【要約】      （修正有）【課題】大型構造物を浮遊状態にして、浮力・偶力・平衡・復原力・回転・滑りなどの現象で運動エネルギーが効率的に取り出せる万能回転機を提供する。【解決手段】円柱缶と蓋と支持棒軸受１と、動力伝達機構と中央穴甲板２と、隔壁とバラスト機構３と、動力伝達機構と増速機構と回転機と、操縦桿５と、で構成され各構造部品の重量と力の力学関係を考慮のうえ水中浮遊を予測して設計製作された潜水円柱缶と、動力伝達機構と軸付き天秤棒と、荷重で構成され甲板角度と転がり又は滑りを力学予測した上で設計製作された回転体と、円柱缶に適う水槽と、支持棒と、で構成され、潜水円柱缶を水平に水中浮遊状態に捕捉支持できる水槽と、を組み合わせ、水中で潜水円柱缶を浮遊状態にして地上から容易に動かし、甲板を傾斜させ、天秤棒を回転させ、その動力を回転機に伝える。【選択図】図３
0003217090.tif 000002
【実用新案登録請求の範囲】
【請求項１】
１円柱缶と蓋と支持棒軸受2動力伝達機構と中央穴甲板３隔壁とバラスト機構４動力伝達機構と増速機構と回転機5操縦桿で構成され各構造部品の重量と浮力の力学関係を考慮のうえ水中浮遊を予測して設計製作された潜水円柱缶(以下甲という。)と、６動力伝達機構と軸付き天秤棒７荷重で構成され甲板角度と転がり又は滑りを力学予測した上で設計製作された回転体 (以下乙という。)と、９円柱缶に適う水槽10支持棒で構成され甲を水平に水中浮遊状態に捕捉支持できる水槽(以下丙という。)の甲乙丙の形状形態の物品で成り立ち、
空っぽの丙の中に各動力伝達機構を組み合わせた甲乙を置き徐々に水を入れバラスト機構で調整しながら水中浮遊状態にして甲乙と丙を回転自在に捕捉支持し始めは甲を急速傾斜でその傾斜に反応した乙を回転させて甲の操縦桿を人力またはロボットで往復動させ次第にスピードを上げタイミングとピッチと規則性に注意しながら又データ蓄積によるロボットの活用で人工条件状態下での自然に動く運動エネルギーを効率的に取り込むことを特徴とする万能回転機。
【考案の詳細な説明】
【技術分野】
【０００１】
本考案は、甲乙丙の三つの形状形態物品の組み合わせで地上からの操縦桿で人力又はロボットにより甲を傾斜させて起きる丙内の乙の運動変化を追求し、人工条件状態下での自然に動く運動エネの効率的取り込みに関するものです。浮力・遇力・重力・復原力またはその複合現象などが関係するものと思われます。
【背景技術】
【０００２】
従来のものの回転力は風・水・火石・原子力などでその回転は自然力と資源と横軸回転が主流、人力のものは小型で小規模、従来のものは公害を出しまた設備が限定されるため配電設備の電柱を要し人類の意のままにならないのが現状です。人力とか運動エネに関することについての社会的理解が不十分と思はれます。
【先行技術文献】
【特許文献】
【０００３】
【特許文献１】特開２００１−１９３６２６号
【考案の概要】
【考案が解決しようとする課題】
【０００４】
従来のものの回転力は自力でなく他力で限界と公害があり意のままにならない、意のまま所望なら人工条件状態下での自然に動く運動エネがある。人力限界への挑戦として、木造和船で一人が何トンもの荷物を運び仕事することや、大型船の積荷が自然に移動しちゃう事実から人工的反復規則的傾斜で大型構造物を浮遊状態にして転がり滑りなどの現象の運動をエネルギーとして取り出せるかを解決しようとするものです。
【課題を解決するための手段】
【０００５】
１円柱缶と蓋と支持棒軸受2動力伝達機構と中央穴甲板３隔壁とバラスト機構４動力伝達機構と増速機構と回転機5操縦桿で構成される各構造部品の重量と浮力の力学関係を考慮のうえ水中浮遊を予測して設計製作された潜水円柱缶構造物品（甲）です。
第二の物品形状は  ６動力伝達機構と軸付き天秤棒7荷重で構成され甲板角度と転がりと滑りを力学予測した上で設計製作された回転体構造物品(乙)です。
第三の物品形状は８潜水円柱缶に適う水槽９支持棒で構成され甲を水平に水中浮遊状態に捕捉支持できる水槽構造物品(丙)です。
第四は空っぽの丙の中に各動力伝達機構を組み合わせた甲乙を置き徐々に水を入れバラスト機構で調整しながら水中浮遊状態にして甲乙と丙を回転自在に捕捉支持し始めは甲を急速傾斜でその傾斜に反応した乙を回転させて甲の操縦桿を人力またはロボットで往復動させ次第にスピードを上げタイミングとピッチと規則性に注意しながら又データ蓄積によるロボットの活用で人工条件状態下での自然に動く運動エネルギーを効率的に取り込むことを特徴とする万能回転機です。
【考案の効果】
【０００６】
本考案の天秤棒回転体は、初動は急速左右動で天秤棒の荷重が大でも甲板傾斜により容易に動く、初速とタイミングとピッチがキイとなり体力脳力総合力の発揮である。徐々に回転速度をあげて負荷をかけるようすれば、個人差能力差はあるが経験により上達し、データと規則性からロボットを活用する。
【図面の簡単な説明】
【０００７】
【図１】本考案の正面と側面の中央断面図(実施例１)
【図２】本考案の水槽平面と甲板面と荷重天秤棒の平面と回転説明図(実施例２)
【図３】本考案の潜水円柱缶の構造説明図(実施例３)
【図４】本考案の天秤棒回転体の構造説明図(実施例４)
【考案を実施するための形態】
【０００８】
見える化・実感触化での大型化について、回転半径は大きいほど角速度もトルクも大で目視・実体験もしやすい、出願者の資力に限定され天秤棒が直径１ｍ位での実体験結果です、今後は試作機シミュレーションなどの後実施したい。
【実施例１】
【０００９】
潜水円柱缶は浮力と重力が釣り合った水中浮遊状態で容易に往復動が可能であり往復動による甲板傾斜で荷重と天秤棒は回転動を始める。往復の振り幅と傾斜限界の枠・ストッパー・ブレーキ・安全装置・速度調整装置など必要に応じ設置する。天秤棒の左右の重量比と長さの工夫を要し操縦は人力とロボットのコンビネーションで最大効果を狙う。水槽だけでなく池・湖・川・海どこに設置可能人力も多数人でやればさらに効果が上がる。バラスト調整は予測設計済みのため微調整だけなので砂袋・水で代替えしてかまわない。
【実施例２】
【００１０】
地上での操縦桿の移動方法が本考案の成否のカギ、水中の潜水円柱缶内の甲板上の回転体の観察とそのデータ蓄積で成果を狙う。甲板上を天秤棒が回転する動力の伝達は歯車・ベルト・チェーンでもよくギヤボックス増速機から回転機へと連結される。甲板と荷重の接触面の摩擦は少ないほうがよくコロ・潤滑油・滑車・レール・キャスターなど状況におうじ変える。荷重は鋼材錘・岩石・コンクリート塊・砂袋・水で天秤棒の形状は荷重により変える。
【実施例３】
【００１１】
潜水円柱缶の水中での回転摩擦抵抗は最小予測設計であり荷重が大であっても浮遊状態での往復動は人力で容易。構造設計鋼材熔接強度計算など船舶建造方法により厳格に作成される。潜水円柱缶はコルゲート管・プラスチック材・木材・鋼管パイプでも良い。操縦桿の位置大きさは人数などで調整する。潜水状態にすることで浮遊状態を作り巨大荷重でも容易に運動させることができ従来の機械と比較にならない浮力による運動エネのパワーに期待する。回転体の仕事量は角速度とトルクで仕事をする人力と脳力とロボットに期待する。
【実施例４】
【００１２】
甲板の傾斜は浮力と重力の接点で平衡であるが、左右の荷重の不均衡は問題ではない、むしろ傾斜点を原点とすれば、そこに復原し効率さえよければ結果よしとする。左右の荷重タイミングピッチなど色々変えてデータを蓄積し効果的入力とロボット活用につなげる。本考案は物品構造物の組み合わせにより生じるものであり結果として可能性として社会貢献できれば実施したい。
【産業上の利用可能性】
【００１３】
エコ発電・運動エネについての社会的理解が不十分と思われ本考案が契機で少しでも是正できれば本望です。手始めに小規模水槽でそしてエコ生活拠点で実体験しエコの素晴らしさを社会的に共有し、潜水円柱缶内と地上の力学関係さらに浮力は重量巨大化が容易なことの理解を深め、操作のロボット化など一般にも普及させたい。
【符号の説明】
【００１４】
１、円柱缶と蓋と支持棒軸受  
２、動力伝達機構と中央穴甲板  
３、隔壁とバラスト機構  
４、動力伝達機構と増速機構と軸付き天秤棒  
５、操縦桿
６、動力伝達機構と軸付き天秤棒  
７、荷重    
８、円柱缶に適う水槽  
９、支持棒
【図１】
0003217090.tif 000003
【図２】
0003217090.tif 000004
【図３】
0003217090.tif 000005
【図４】
0003217090.tif 000006
【手続補正書】
【提出日】平成30年5月9日(2018.5.9)
【手続補正１】
【補正対象書類名】実用新案登録請求の範囲
【補正対象項目名】全文
【補正方法】変更
【補正の内容】
【実用新案登録請求の範囲】
【請求項１】
「円柱缶と蓋と支持棒軸受１」「動力伝達機構と中央穴甲板２」「隔壁とバラスト機構３」「動力伝達機構と増速機構と回転機４」「操縦桿５」で構成され各構造部品の重量と力の力学関係を考慮のうえ水中浮遊を予測して設計製作された潜水円柱缶(以下甲という。)と、「動力伝達機構と軸付き天秤棒６」「荷重７」で構成され甲板角度と転がり又は滑りを力学予測した上で設計製作された回転体 (以下乙という。)と、「円柱缶に適う水槽８」「支持棒９」で構成され甲を水平に水中浮遊状態に捕捉支持できる水槽(以下丙という。)の甲乙丙の形状形態の物品で成り立ち、
空っぽの丙の中に各動力伝達機構を組み合わせた甲乙を置き徐々に水を入れバラスト機構で調整しながら水中浮遊状態にして甲乙と丙を回転自在に捕捉支持し始めは甲を急速傾斜でその傾斜に反応した乙を回転させて甲の操縦桿を人力またはロボットで往復動させ次第にスピードを上げタイミングとピッチと規則性に注意しながら又データ蓄積によるロボットの活用で人工条件状態下での自然に動く運動エネルギーを効率的に取り込むことを特徴とする万能回転機。